(57)【要約】【課題】接続機器がネットワーク化された外部機器の切断・接続検出を自動的に行い、外部機器の接続環境を把握し、各種機能を制御できるようにする。【解決手段】記録媒体から再生された信号を処理する情報処理部（１８）と、複数の接続部（２１ａ，２１ｂ）に外部機器が接続されたのか、切断されたのかを検出する切断・接続検出部（２０ａ）と、外部機器が接続されたとき相互認証を行う認証部（２０ｂ）と、前記外部機器の切断のときに、前記記録媒体が再生されているときは、再生途中の位置情報を記憶させる位置情報処理部（２３ａ）と、機器接続が検出されたときに、前記外部機器が再接続されているときは、前記位置情報に基づいて前記記録媒体の再生開始を行う再生開始制御部（２３ｂ）を有する。【選択図】      図３
2006339901.tif 000002
【特許請求の範囲】
【請求項１】
記録媒体から再生された信号を処理する情報処理部と、
複数の接続部と、
前記複数の接続部のいずれかに外部機器が接続されたか、或いは外部機器の接続が切断されたかを検出する切断・接続検出部と、
前記接続部に外部機器が接続されたとき相互認証を行う認証部と、
前記切断・接続検出部が前記外部機器の切断を検出したときに、前記記録媒体が再生されているときは、再生途中の位置情報を記憶させる位置情報処理部と、
前記切断・接続検出部が機器接続を検出したときに、前記外部機器が再接続されているときは、前記位置情報に基づいて前記記録媒体の再生開始を行う再生開始制御部と
を有した環境対応型デジタル機器制御装置。
【請求項２】
前記外部機器は、
表示装置であるとこを特徴とする請求項１記載の環境対応型デジタル機器制御装置。
【請求項３】
前記外部機器は、
前記記録媒体の再生情報を前記接続部に供給する情報再生装置であるとこを特徴とする請求項１記載の環境対応型デジタル機器制御装置。
【請求項４】
前記位置情報処理部は、
前記再生途中の位置情報を前記接続部に接続されている外部機器である情報再生装置に記憶させることを特徴とする請求項１記載の環境対応型デジタル機器制御装置。
【請求項５】
前記切断・接続検出部が機器接続を検出したとき、第２の表示装置が接続されており、この第２の表示装置の再生能力が直前に接続されていた第１の表示装置とは異なるときは、
前記再生開始制御部は、前記第２の表示装置に適合する前記記録媒体の再生コンテンツを再生するか、又は、再生出力を変換して出力する切り替え部を有する
請求項２記載の環境対応型デジタル機器制御装置。
【請求項６】
前記第１の表示装置は、
標準（ＳＤ）映像信号に対応した装置であり、前記第２の表示装置は、高品位（ＨＤ）映像信号に対応した装置であることを特徴とする請求項５記載の環境対応型デジタル機器制御装置。
【請求項７】
前記記録媒体は、
標準（ＳＤ）映像信号と、高品位（ＨＤ）映像信号との両方のコンテンツを記録されていることを特徴とする請求項５記載の環境対応型デジタル機器制御装置。
【請求項８】
前記情報処理部は、
映像信号の走査線数を変換する信号処理部を含むことを特徴とする請求項５記載の環境対応型デジタル機器制御装置。
【請求項９】
前記情報再生装置は情報記録も行う装置であり、
前記情報再生装置の出力がモニタされている途中で、前記接続部から切断されたときは、前記情報再生装置が自動記録を実行し、前記再接続されたときは、自動記録を開始した先頭から再生を行うように、前記再生開始制御部が制御することを特徴とする請求項１記載の環境対応型デジタル機器制御装置。
【請求項１０】
前記情報再生装置は、前記先頭からの再生が開始された後も、記録を継続することを特徴とする請求項９記載の環境対応型デジタル機器制御装置。
【請求項１１】
前記情報再生装置が前記記録を継続しているときも記録箇所を追いかけ再生するように、前記再生開始制御部が制御することを特徴とする請求項１０記載の環境対応型デジタル機器制御装置。
【請求項１２】
記録媒体から再生された信号を処理する情報処理部と、複数の接続部と、装置動作を統括する制御部を有した装置の制御方法において、
前記複数の接続部のいずれかに外部機器が接続されたか、或いは外部機器の接続が切断されたかを検出し、
前記接続部に外部機器が接続されたとき相互認証を行い、
前記切断・接続検出部が前記外部機器の切断を検出したときに、前記記録媒体が再生されているときは、再生途中の位置情報を記憶させ、
前記切断・接続検出部が機器接続を検出したときに、前記外部機器が再接続されているときは、前記位置情報に基づいて前記記録媒体の再生開始を行う、
環境対応型デジタル機器制御方法。
【請求項１３】
前記外部機器は、情報の記録再生を行う情報記録再生装置であり、
前記情報記録再生装置の出力がモニタされている途中で、前記接続部から切断されたときは、前記情報記録再生装置が自動記録を実行し、前記再接続されたときは、自動記録を開始した先頭から再生を行うように制御する
ことを特徴とする請求項１２記載の環境対応型デジタル機器制御方法。
【請求項１４】
前記情報記録再生装置が前記先頭からの再生を開始した後も、記録を継続させることを特徴とする請求項１３記載の環境対応型デジタル機器制御方法。
【請求項１５】
前記情報記録再生装置が前記記録を継続しているときも記録箇所を追いかけ再生するように制御することを特徴とする請求項１３記載の環境対応型デジタル機器制御方法。
【発明の詳細な説明】
【技術分野】
【０００１】
この発明は、環境対応型デジタル機器制御装置及び方法に関するもので、例えば映像や音声等のデジタル信号を外部接続された他の受信機器、或いは表示装置に出力する信号出力装置及び信号出力方法に係わる。
【背景技術】
【０００２】
周知のように、デジタル映像信号を伝送するための規格として、ＤＶＩ（digital visual interface）規格が普及している。近年では、このＤＶＩ規格をさらに改良したデジタル信号伝送規格として、ＨＤＭＩ（high definition multimedia interface）規格が採用されるようになってきている。
【０００３】
ＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで接続することが可能であること等々、ＤＶＩ規格にない種々の規定が盛り込まれている。
【０００４】
また、ＨＤＭＩ規格では、信号の伝送に先立ち、送信側の機器と受信側の機器との間で認証を行なうことにより、送信側の機器が受信側の機器の性能に合わせた形態で信号を出力することができる。すなわち、送信側の機器は、受信側の機器からＥＤＩＤ（extended display identification）データを取得することにより、受信側機器の受信仕様を認識し、それに合わせた形態で信号を出力している。
【０００５】
ところで、最近では、１つの装置に複数の外部機器（記録再生装置、再生装置、表示装置、など）を接続することが通常となっている。または、新しい外部機器を追加、或いは変更することはよく行われている。
【０００６】
このような環境の元で、ＨＤＭＩ規格に準拠したデジタル信号の伝送方式はさらに充実した機能が要求されるようになっている。特に、外部機器の接続、切断、新しい機器の追加接続、接続切換えが行われた場合、その対応が要望されている。
【０００７】
例えば、特許文献１は、画像合成部に各種のモニタを接続可能となっており、システム制御部が接続されたモニタの特性を判別する技術を開示している。そして判別された特性に基づいてモニタへ出力する映像データの特性を変化させている。
【特許文献１】特開平１１−３１１９８３号公報
【発明の開示】
【発明が解決しようとする課題】
【０００８】
しかしながら、近年では、先にも述べたように１つの装置に複数の外部機器（記録再生装置、再生装置、表示装置、など）を接続することが通常となっている。または、記録機器の切断・接続が頻繁に行われることがよくあるし、また、新しい外部機器を追加、或いは変更することはよく行われている。つまり接続機器がネットワーク化している。このために単純にモニタの特性を判別して、出力特性を切換えるようにするだけでは、不十分である。
【０００９】
そこで、この発明の一実施の形態では、接続機器がネットワーク化されても不便を感じないようにし、特に外部機器の切断・接続検出を自動的に行い、外部機器の接続環境を把握し、各種機能を制御できるようにした環境対応型デジタル機器制御装置を提供することを目的とする。
【課題を解決するための手段】
【００１０】
この発明の一実施の形態では、上記の目的を達成するために、記録媒体から再生された信号を処理する情報処理部と、複数の接続部と、前記複数の接続部のいずれかに外部機器が接続されたか、或いは外部機器の接続が切断されたかを検出する切断・接続検出部と、前記接続部に外部機器が接続されたとき相互認証を行う認証部と、前記切断・接続検出部が前記外部機器の切断を検出したときに、前記記録媒体が再生されているときは、再生途中の位置情報を記憶させる位置情報処理部と、前記切断・接続検出部が機器接続を検出したときに、前記外部機器が再接続されているときは、前記位置情報に基づいて前記記録媒体の再生開始を行う再生開始制御部と、を有する。
【発明の効果】
【００１１】
上記の手段により、環境がネットワーク化され、外部機器の切断・再接続、追加、変更が生じてもユーザ不便を感じることなく適切なシステム運用を得られる。
【発明を実施するための最良の形態】
【００１２】
以下、図面を参照してこの発明に係る実施の形態を説明する。図１において、１００は、例えば再生装置であり、ハードディスクあるいは光ディスクの再生用のドライブ部１００Ａを有する。ハードディスクと光ディスクの両方を再生するドライブ部を含んでもよい。この再生装置１００は、複数の接続部１０１、１０２を有する。接続部１０１には、外部機器として例えば、標準映像信号を表示するテレビジョン受信装置２００Ａが接続されている。また接続部１０１には、インターネットを介してサーバ３００が接続されている。
【００１３】
図２は、接続部１０１に対して、高品位映像信号を表示するテレビジョン受信装置２００Ａを接続することも可能であることを示している。他の部分は、図１の構成と同じであるから、同一符号を付している。上記したテレビジョン受信装置２００Ａ或いは３００Ａと再生装置１００との接続に関しては、この発明に基づくＨＤＭＩ規格が適用されている。
【００１４】
図３には、上記した再生装置（例えば光ディスク再生装置）の内部構成例を示している。
【００１５】
この光ディスク再生装置１００は、例えばＤＶＤ（digital versatile disk）等の光ディスク１２がディスクドライブ部１６（図１の１００Ａに対応する）に装着され、再生が要求されることにより、その記録データの読み取りが行なわれる。
【００１６】
ディスクドライブ部１６で読み取られたデータは、デコーダ部１７及び信号処理部１８に供給されることにより、デジタル化処理、エラー訂正処理及び復号化処理等が順次施されて、デジタルの映像信号に復元される。
【００１７】
復元されたデジタルの映像信号は、ＯＳＤ（on screen display）信号付加部１９に供給されてＯＳＤ信号が付加された後、ＨＤＭＩ送受信部２０に供給されてＨＤＭＩ規格に準拠した形態に変換され、出力端子２１ａ，２１ｂを介して、受信側の機器（この場合、テレビジョン受信装置２００Ａ又は２００Ｂ）に導出される。
【００１８】
また、このＨＤＭＩ送受信部２０は、入出力端子２２を介して、受信側の機器（テレビジョン受信装置）とコミュニケーションを行うことができる。
【００１９】
例えば、ＥＤＩＤデータの取得を要求することができる。さらに、このＨＤＭＩ送受信部２０は、入出力端子２２を介して、受信側の機器から出力されたＥＤＩＤデータを取得することができる。
【００２０】
光ディスク再生装置１１は、上記した再生動作を含むその全ての動作を制御部２３により統括的に制御されている。この制御部２３は、ＣＰＵ（central processing unit）等を内蔵しており、操作部２４からの操作情報、または、リモートコントローラ２５の送信信号を受信する受信部２６からの操作情報を受信し、その操作内容が反映されるように各部をそれぞれ制御している。
【００２１】
この場合、制御部２３は、メモリ部２７を利用している。このメモリ部２７は、主として、ＣＰＵが実行する制御プログラムを格納したＲＯＭ（read only memory）と、該ＣＰＵに作業エリアを提供するＲＡＭ（random access memory）と、各種の設定情報及び制御情報等が格納される不揮発性メモリとを有している。
【００２２】
上記制御部２３は、インターフェース部２８及び接続端子２９を介して、ネットワーク１４に接続されたデータサーバ１５にアクセス要求し、このデータサーバ１５から所望の映像信号を取得することができる。
【００２３】
データサーバ１５から取得した映像信号は、信号処理部１８に供給されて所定の信号処理が施され、ＯＳＤ信号付加部１９でＯＳＤ信号が付加された後、ＨＤＭＩ送受信部２０によりＨＤＭＩ規格に準拠した形態に変換され、出力端子２１ａ，２１ｂを介して、受信側の機器に導出される。
【００２４】
ここで、上記制御部２３は、ＨＤＭＩ送受信部２０で取得したＥＤＩＤデータに基づいてテレビジョン受信装置１３の受信仕様を認識し、その受信仕様に対応した形態の映像信号を、光ディスク１２またはデータサーバ１５から検索して、テレビジョン受信装置１３に出力することもできる。
【００２５】
例えば、テレビジョン受信装置のディスプレイ仕様が標準画質に対応するＳＤ（standard）仕様であれば、制御部２３は、光ディスク１２またはデータサーバ１５のコンテンツからＳＤ対応の映像信号を検索して、テレビジョン受信装置１３に出力する。
【００２６】
また、テレビジョン受信装置のディスプレイ仕様が高画質に対応するＨＤ（high definition）仕様であれば、制御部２３は、光ディスク１２またはデータサーバ１５のコンテンツからＨＤ対応の映像信号を検索して、テレビジョン受信装置１３に出力する。
【００２７】
この場合、ユーザが視聴を要求した同じコンテンツに対して、ＳＤ対応の映像信号とＨＤ対応の映像信号とが、光ディスク１２またはデータサーバ３００に予め用意されていることを想定している。
【００２８】
ここで、図３のＨＤＭＩ送信部２０と、制御部２３とは、一体に相俟って本発明の特徴部を構成している。即ち、例えば、ＨＤＭＩ送信部２０には、外部の機器が接続されたときに、相互認証を行う相互認証部２０ｂが設けられている。相互認証部２０ｂによる動作は、接続された機器が所定の条件を満足するかどうかを確認するものであり、条件を満足したときのみ、データの相互やり取り、及びコンテンツの受け取り或いは送出が可能となる。さらにこのＨＤＭＩ送信部２０には、外部の接続機器が接続端子に接続されたか、否か検出する切断・接続検出部２０ａを備える。この切断・接続検出部２０ａが外部機器の接続されたことを検出すると、認証部２０ｂは、認証処理を実行する。
【００２９】
一方、制御部２３は、位置情報処理部３１ａ，再生開始制御部３３ｂ、切換え部２３ｃを含む。再生開始制御部２３ｂは、後述するように追っかけ再生処理部も含む。
【００３０】
位置情報処理部２３ａは，切断・接続検出部２０ａが外部機器の切断を検出したときに、記録媒体１２が再生されているときは、再生途中の位置情報を記憶させる。この位置情報は、位置情報処理部２３ａが保持してもよく、また、記録媒体１２を再生している再生部に保持してもよい。さらには、記録媒体１２のレジウム情報記録機能を利用してもよい。記録媒体１２の特定の管理情報位置にレジウム情報として記録してもよい。
【００３１】
再生開始制御部２３ｂは、切断・接続検出部２０ａが機器接続を検出したときに、同じ外部機器が再接続されているときは、位置情報に基づいて記録媒体の再生開始の制御を行う。
【００３２】
さらに本装置は、次のような機能を備える。たとえば、テレビジョン受信装置２００Ａが接続断され、次に別のテレビジョン受信装置２００Ｂが接続された場合は、その能力に応じた信号処理を行う。今、切断・接続検出部２０ａが機器接続を検出したとき、テレビジョン受信装置２００Ｂが接続されており、この装置の再生能力が直前に接続されていたテレビジョン受信装置２００Ａとは異なるものとする。すると、再生開始制御部２３ｂは、テレビジョン受信装置２００Ｂに適合するコンテンツ（例えばハイディフィニションテレビジョン信号）を記録媒体１２から再生する。又は、記録媒体に標準の映像データしか記録されていない場合、スタンダードテレビジョン信号の走査線数などを変換し、補間信号を作り、基の信号を変換して出力する切り替え部２３ｃを有する。このために、信号処理部１８内には、走査線変換部１８ａが設けられている。
【００３３】
上記した実施の形態では、本発明の基本構成部が再生装置１００の内部に設けられている。しかし、本発明の基本構成は、単独で構成してもよいし、テレビジョン受信装置内に設けられていてもよい。
【００３４】
図４には、テレビジョン受信装置２００Ｃの構成例を示している。テレビジョン受信装置２００Ｃを、ディスプレイ部２１０とメイン基板２１１に分けて示している。メイン基板２１１上には、複数の接続部を含むセレクタ２１２が設けられ、外部機器を接続することができる。この例では、再生装置１１０Ａ，セットトップボックス（ＳＴＢ）１１Ｃ、記録再生装置１１０Ｂが接続されている。またアンテナも接続されている。セレクタ２１２は、いずれかの外部接続機器を選択的に切換えて、ＨＤＭＩ送信部２０に接続することがきる。ＨＤＭＩ送信部２０を介して取り込まれた信号は、テレビジョン信号処理部２１３にて処理され、ディスプレイ部２１０に供給される。このテレビジョン受信装置２００Ｃ内にも制御部２３が設けられ、装置を全体的に統括している。
【００３５】
上記のＨＤＭＩ送信部２０、制御部２３内にも先の図３の場合と同様に、切断・接続検出部２０ａ，認証部２０ｂが設けられ、また位置情報処理部２３ａ，再生開始制御部２３ｂ、追っかけ再生処理部、が設けられている。
【００３６】
上記のシステムにおいても、記録媒体から再生された信号を処理する情報処理部と、複数の接続部を有する。そして前記複数の接続部のいずれかに外部機器が接続されたか、或いは外部機器の接続が切断されたかを検出する切断・接続検出部２０ａと、前記接続部に外部機器が接続されたとき相互認証を行う認証部２０ｂを有する。さらに切断・接続検出部が前記外部機器の切断を検出したときに、記録再生装置１１０Ｂあるいは１１０Ａの記録媒体が再生されているときは、再生途中の位置情報を記憶させる位置情報処理部２３ａを有する。ここで、切断・接続検出部が機器接続を検出したときに、外部機器（記録再生装置１１０Ｂあるいは１１０Ａ）が再接続されているときは、前記位置情報に基づいて記録媒体の再生開始を行う再生開始制御部２３ｂを含む。このときの位置情報は、位置情報処理部２３ａが保持してもよく、また、記録媒体１２を再生している再生部に保持してもよい。さらには、記録媒体１２のレジウム情報記録機能を利用してもよい。記録媒体１２の特定の管理情報位置にレジウム情報として記録してもよい。
【００３７】
今、例えば記録再生装置１１０Ｂには、デジタルチューナからのストリームを取り込んでいるものとする。そしてテレビジョン受信装置２００では、記録再生装置１１０Ｂを介して取り込んだ信号が処理されて、ディスプレイ２１０に表示されているものとする。またこのとき記録再生装置１１０Ｂで記録が行われていてもよい。
【００３８】
ここで、セレクタ２１２が制御されて、一時的に再生装置１１０Ａに切換わるものとする。すると記録再生装置１１０Ｂが切断されたときに、その切断は、ＨＤＭＩ送信部２０により検出される。すると、ここで、記録再生装置１１０Ｂは、今までの番組の記録を開始する（すでに記録が行われていたときは記録が継続される）。そして、記録を開始した媒体位置の位置情報が、位置情報処理部２３ａにて認識され、いずれかにその情報が保持される。すでに記録が行われていたときは記録が継続されるときの位置情報が保存される。
【００３９】
次に、再生装置１１０Ａが切断され、記録再生装置１１０Ｂが再接続されると、先ほど保存されていた位置情報が利用される。そして、記録再生装置１１０Ｂは、切断された直後に記録した情報の再生状態に制御される。記録再生装置１１０Ｂは、追っかけ再生状態となり、受信情報を相変わらず記録し続ける。
【００４０】
追っかけ再生状態においても、操作により、スキップ再生モードあるいは早送り再生モードに記録再生装置１１０Ｂを制御することができる。すると、以前に記録していた情報が再生され、現在記録中の情報に追いつくことになる。
【００４１】
このとき、記録再生装置１１０Ｂは、記録を停止し、受信装置２００Ｃは、記録再生装置１１０Ｂを介して取り込んでいたデジタルチューナからのストリームを直接取り込んで再生する。但し、記録再生装置１１０Ｂが記録モードに操作されているときは、この記録再生装置１１０Ｂは相変わらず記録を続けることになる。
【００４２】
なお位置情報は、情報記録再生装置１１０Ｂのものだけに限らず、再生装置１１０Ａの再生が中断されたときも、その中断位置情報を保存するようにしてもよい。
【００４３】
図５は、本発明の基本的な動作を示すフローチャートである。外部機器の接続が検出されると（ステップＳＡ１）、位置情報が保持されているかどうかの判定が行われる（ステップＳＡ２）。位置情報の保存がない場合には、情報記録媒体の先頭から再生を開始し（ステップＳＡ３）、位置情報の保存が有る場合には、先に説明したように、位置情報に基づき中断位置からの再生が開始される（ステップＳＡ４）。
【００４４】
再生状態になると、接続中の機器の切断が生じたかどうかのチェック状態になる（ステップＳＡ５、ＳＡ６）。切断が検出されると現時点の再生位置を中断情報（位置情報）としてメモリに格納する（ステップＳＡ７）。
【００４５】
図６は、さらに本発明の基本的な動作の他の例を示すフローチャートである。外部機器の接続が検出されると（ステップＳＢ１）、位置情報が保持されているかどうかの判定が行われる（ステップＳＢ２）。位置情報の保存がない場合には、入力ストリームの再生を開始し（ステップＳＢ３）、位置情報の保存が有る場合には、先に説明したように、位置情報に基づき中断位置からの再生が開始される（ステップＳＢ４）。
【００４６】
再生状態になると、接続中の機器の切断が生じたかどうかのチェック状態になる（ステップＳＡ５、ＳＡ６）。現在は外部機器が記録中であるかどうかの判定が行われる（ステップＳＢ７）。記録モードが設定されていないときは、記録が開始される（ステップＳＢ８）。記録モードが設定されているときは、継続して記録が行われる。
【００４７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】この発明の一実施の形態を示すブロック構成図である。
【図２】この発明の他の実施の形態を示すブロック構成図である。
【図３】この発明の一実施の形態の要部の構成例を示す図である。
【図４】この発明の他の実施の形態の要部の構成例を示す図である。
【図５】この発明の要部の一動作例を示すフローチャートである。
【図６】この発明の要部の他の動作例を示すフローチャートである。
【符号の説明】
【００４９】
１００…記録再生装置、２００Ａ，２００Ｂ…テレビジョン受信装置、１０１、１０２…接続部、１００Ａ…ドライブ部、３００…サーバー、１６…ディスクドライブ部、１７…でコーダ部、１８…信号処理部、１９…ＯＳＤ信号付加部、２０…ンＨＤＭＩ送信部、２０ａ…切断・接続検出部，２０ｂ…認証部、２３…制御部、２３ａ…位置情報処理部，２３ｂ…再生開始制御部、２３ｃ…切り替え部、２４…操作部、２６…受信部、２７…メモリ部、２８…インターフェース部。
【図１】
2006339901.tif 000003
【図２】
2006339901.tif 000004
【図３】
2006339901.tif 000005
【図４】
2006339901.tif 000006
【図５】
2006339901.tif 000007
【図６】
2006339901.tif 000008